(57)【特許請求の範囲】
【請求項１】
容器口部の外周面には係止顎部と該係止顎部の下方に位置する環状係合部が形成され、該環状係合部には軸線方向に切り欠くことによってキー溝が形成されている容器に適用される打栓式キャップにして、
天面壁及び該天面壁の周縁部から下方に垂下し且つ内周面には雌螺条が形成されているスカート部からなるキャップ本体と、外周面には該スカート部の雌螺条と係合する雄螺条が形成されている円筒部を有するタンパーエビデント部材とからなり、
該キャップ本体の該天面壁の内面には、下方に垂下し且つ内周面には該容器口部の該係止顎部に係止される突部を有するアウターリング、及び該アウターリングより内側で該天面壁の内面から下方に垂下し、該容器口部の内周面に密着されるインナーリングが形成されており、
該タンパーエビデント部材の該円筒部の内周面には、該容器口部の該キー溝に係止される、軸方向に延びるストッパー突条、及び周方向に延びる係止部が形成されており、
開栓に際して、該キャップ本体を回転して該タンパーエビデント部材との螺条を一旦外すと、該タンパーエビデント部材の該係止部が該容器口部の該環状係合部に係止することによって、該タンパーエビデント部材が該容器口部から抜き脱不能となる、
ことを特徴とする打栓式キャップ。
【請求項２】
該タンパーエビデント部材の該円筒部の上端は、該キャップ本体の該スカート部と該アウターリングとの間に挿入される、請求項１に記載の打栓式キャップ。
【発明の詳細な説明】
【０００１】
【発明の属する技術分野】
本発明は、キャップ本体とタンパーエビデント部材とからなる打栓式キャップ、更に詳しくは、容器口部の外周面には係止顎部とこの係止顎部の下方に位置する環状係合部が形成され、環状係合部には軸線方向に切り欠くことによってキー溝が形成されている容器に適用される打栓式キャップに関する。
【０００２】
【従来の技術】
医薬品、農薬、飲料、調味料などのキャップとしては、一旦開封したことが明示できるタンパーエビデント機能を持たせたものが知られている。また、タンパーエビデント機能を持ったキャップとしては、螺子装着型キャップが一般的であり、タンパーエビデントバンド（以下、ＴＥバンドと呼ぶ）が螺子装着型キャップに取り付けられており、バンド内面に、内方且つ上方を指向する複数のフラップ片を所定の間隔で周状に設けたものが知られている（例えば、特許文献１参照）。
【０００３】
【特許文献１】
特開２００２−１０４４８０号公報
【０００４】
上記のようなＴＥバンドを備えたキャップでは、容器口部に螺子固定されたキャップを開栓方向に旋回していくと、キャップは上昇するが、ＴＥバンドのフラップ片の先端部分が容器のバンド係止用凸部の下側面に当接し、ＴＥバンドの上昇は制限され、さらにキャップを回転することにより、キャップとＴＥバンドを連結しているブリッジが破断し、この結果、容器口部から取り除かれたキャップからはＴＥバンドが切り離されることとなる。即ち、キャップからＴＥバンドが切り離されていることにより、キャップが容器口部から開封された事実が明示されるようになっている。
【０００５】
【発明が解決しようとする課題】
上述した螺子装着型キャップにおいては、優れた開封履歴明示機能（タンパーエビデント機能）を確保するためには、ＴＥバンドとキャップとを繋ぐブリッジが破断するまでのキャップ旋回角度（以下、単にブリッジ切れ角度と呼ぶ）を小さくすることが必要である。即ち、キャップの開栓方向への旋回開始と同時にキャップは容器口部に沿って上昇するため、ブリッジ切れ角度が大きいことは、ブリッジが破断してＴＥバンドがキャップから切り離されるまでのキャップの上昇距離が長いことを意味する。この上昇距離が長いと、ブリッジが破断する前に、キャップによる容器口部のシールが開放されてしまうことになる。
【０００６】
また、従来の螺子装着型キャップにおいては、リシール後の開閉にキャップを１回転以上回す必要があり、ワンタッチ性に欠ける等の問題がある。
【０００７】
本発明は、上記提案されている従来のキャップを更に改良したものであり、螺子装着型キャップに変え、打栓式キャップにタンパーエビデント機能を付与することにより、タンパーエビデント性を向上した、且つリシール後のワンタッチ開閉性に優れ、またリシール後の異常内圧の開放にも優れたキャップを提供することを技術的課題とする。
【０００８】
【課題を解決するための手段】
本発明によれば、上記技術的課題を達成する打栓式キャップとして、容器口部の外周面には係止顎部と該係止顎部の下方に位置する環状係合部が形成され、該環状係合部には軸線方向に切り欠くことによってキー溝が形成されている容器に適用される打栓式キャップにして、
天面壁及び該天面壁の周縁部から下方に垂下し且つ内周面には雌螺条が形成されているスカート部からなるキャップ本体と、外周面には該スカート部の雌螺条と係合する雄螺条が形成されている円筒部を有するタンパーエビデント部材とからなり、
該キャップ本体の該天面壁の内面には、下方に垂下し且つ内周面には該容器口部の該係止顎部に係止される突部を有するアウターリング、及び該アウターリングより内側で該天面壁の内面から下方に垂下し、該容器口部の内周面に密着されるインナーリングが形成されており、
該タンパーエビデント部材の該円筒部の内周面には、該容器口部の該キー溝に係止される、軸方向に延びるストッパー突条、及び周方向に延びる係止部が形成されており、
開栓に際して、該キャップ本体を回転して該タンパーエビデント部材との螺条を一旦外すと、該タンパーエビデント部材の該係止部が該容器口部の該環状係合部に係止することによって、該タンパーエビデント部材が該容器口部から抜き脱不能となる、
ことを特徴とする打栓式キャップが提供される。
【０００９】
該タンパーエビデント部材の該円筒部の上端は、該キャップ本体の該スカート部と該アウターリングとの間に挿入されるのが好ましい。
【００１１】
【発明の実施の形態】
以下、本発明に従って構成されたキャップ及びキャップ付き容器を図示している添付図面を参照して、更に詳細に説明する。
図１は、本発明のキャップ本体の半断面側面図であり、
図２は、図１のキャップ本体の底面図であり、
図３は、本発明のタンパーエビデント部材の一部断面側面図であり、
図４は、図３のタンパーエビデント部材の底面図であり、
図５は、図４のタンパーエビデント部材のＡＡ方向から見た一部断面側面図であり、
図６は、キャップ本体にタンパーエビデント部材を装着した本発明のキャップを容器口部に装着する状態を示す判断面図であり、
図７は、本発明のキャップを容器口部に装着した状態を示す半断面側面図であり、
図８は、キャップ本体４とタンパーエビデント部材６との螺条が解除された状態を示す判断面図或いは図９の状態からキャップ本体を容器口部に装着したリシール後の状態を示す判断面図であり、
図９は、図８の状態からキャップ本体を外した状態の半断面側面図とキャップ本体の側面図であり、
図１０は、本発明の容器口部の半断面側面図であり、
図１１は、図１０の容器口部の平面図である。
【００１２】
図１乃至図７を参照して説明すると、全体を番号２で示すキャップは、キャップ本体４とタンパーエビデント部材６から構成されている。合成樹脂製のキャップ本体４は、天面壁８と天面壁周縁部から下方に垂下する内面に雌螺条１２が形成されているスカート部１０とからなる。天面壁８内面には、下方に垂下し、容器口部外周面の係止顎部と係止する突部１６を内面に有するアウターリング１４と該アウターリングより内側で前記天面壁内面から下方に垂下し、容器口部内周面と密着するインナーリング１８とを有している。更に天面壁８内面でアウターリング１４とインナーリング１８との間には、容器口部外周面及び頂面と夫々密着する補助アウターシール２０及び補助天面シール２２とを有している。
【００１３】
図３や図４に示されるように、タンパーエビデント部材６は、円筒部２４と円筒部２４下端から外方に延びるフランジ部２５とから構成されている。
更に、円筒部２４には、外面に雄螺条２６と内面に等間隔に設けた４個のストッパー突条２８とを有している。更に、ストッパー突条２８間でストッパー突条２８の上端部に対応する位置に、周方向に延びる補助係止部２９も形成されている。
補助係止部２９は、図５から明らかなように上端が略平坦で、下端が傾斜の付いたなだらかな形状となっている。これは、タンパーエビデント部材６を容器口部に挿入し易くし、また、キャップ本体４の開封後にタンパーエビデント部材６が容器口部から抜き脱し難くなっている。或いは、必要に応じて、補助係止部２９を円筒部２４内面から上方に延びる可撓性のフラップ片から構成することもできる。この様にすることにより、タンパーエビデント部材６の容器口部への挿入を更に容易にすることができる。
【００１４】
即ち、本発明のキャップ２は、図６や図７に示されるように、上記キャップ本体４の雌螺条１２に上記タンパーエビデント部材６の雄螺条２６を螺着することにより形成される。
【００１５】
次に、本発明のキャップ２を容器口部３０に装着する操作を図６や図７を参照して説明すると、キャップ２を若干回しながら容器口部３０へ挿入していくと、４個のストッパー突条２８が容器口部の係止顎部３２の下方に設けた４個のキー溝３４に係止して、回転が止まり、更に下方に押圧していくとアウターリング１４に設けた突部１６が係止顎部３２の下方に係合して、キャップ２の容器口部３０への装着が完了することになる。図６に示すように、アウターリング１４に設けた突部１６が係止顎部３２を乗り越える前に、ストッパー突条２８とキー溝３４との係止が開始される。これは若干回しながらストッパー突条２８がキー溝３４との係止する前に回転を阻止するような抵抗が掛からないようにするためである。
【００１６】
上記のようにキャップ２が容器口部に装着された状態では、インナーリング１８が容器口部内周面と、補助アウターシール２０が容器口部外周面と、補助天面シール２２が容器口部頂面と密着することになる。この状態で、４個のストッパー突条２８は４個のキー溝３４に係止されている。
【００１７】
図７に示されるように、キャップ２が装着された状態では、タンパーエビデント部材６の上部内周面及びキャップ本体４のスカート部１０により、アウターリング１４が外側から密着保持されているため、キャップ本体４とタンパーエビデント部材６との螺条による係合を解除しない限り、キャップ2を容器口部から開封することができない。
【００１８】
次に、図８と図９を参照してキャップ2を容器口部から開封する操作について説明を続ける。
まず、キャップ本体４を開封方向に回すとタンパーエビデント部材６はストッパー突条２８により容器口部に回転不能に固定されているため、キャップ本体４の回転に伴ってタンパーエビデント部材６は下方に降下し、キャップ本体４との螺条による係合が解除される。この状態では、図８に示されているように、タンパーエビデント部材６及びキャップ本体４のスカート部１０によるアウターリング１４への押圧力が解除されるため、キャップ本体４の容器口部３０からの取外しが容易になる（図９参照）。
【００１９】
また、リシール後の状態も図８に示す通りであるから、アウターリング１４による容器口部の保持力が弱められているため、内圧が異常に上昇した場合には、容器内のガスが抜けるか或いはキャップ２が外れて、事故を未然に防止することができる。
【００２０】
次に、図１０乃至図１１を参照して容器口部の形状について説明を続ける。
容器口部３０は、上部にアウターリング１４に設けた突部１６と係止する係止顎部３２が形成され、その下方には、周縁部にキー溝３４を有する環状係合部３６が形成されている。
【００２１】
また、図９で示されるようにキャップ本体４が取外された容器口部３０とタンパーエビデント部材６とは、容器口部３０の環状係合部３６とタンパーエビデント部材６のストッパー突条２８及び補助係止部２９との係止により、タンパーエビデント部材６が容器口部３０から抜き脱することがない。
【００２２】
上述した本発明のキャップ本体４及びタンパーエビデント部材６は、各種のプラスチック、例えば、低−、中−または高密度ポリエチレン、線状低密度ポリエチレン、ポリプロピレン、熱可塑性ポリエステル、ポリアミド、スチレン系樹脂、ΑΒＳ樹脂等を用いての射出成形、圧縮成形等の一体成形により製造することができる。また、本発明の容器は、ポリエチレンテレフタレート等の合成樹脂か或いはガラス等により製造することができる。
【００２３】
【発明の効果】
本発明のキャップ及びキャップ付き容器では、タンパーエビデント機能が明確であると共に、キャッピングの容易性とリシール後のワンタッチ開閉性が優れている。
【図面の簡単な説明】
【図１】図１は、本発明のキャップ本体の半断面。
【図２】図２は、図１のキャップ本体の底面図。
【図３】図３は、本発明のタンパーエビデント部材の一部断面側面図。
【図４】図４は、図３のタンパーエビデント部材の底面図。
【図５】図５は、図４のタンパーエビデント部材のＡＡ方向から見た一部断面側面図。
【図６】図６は、キャップ本体にタンパーエビデント部材を装着した本発明のキャップを容器口部に装着する状態を示す判断面図。
【図７】図７は、本発明のキャップを容器口部に装着した状態を示す半断面側面図。
【図８】図８は、キャップ本体４とタンパーエビデント部材６との螺条が解除された状態を示す判断面図或いは図９の状態からキャップ本体を容器口部に装着したリシール後の状態を示す判断面図。
【図９】図９は、図８の状態からキャップ本体を外した状態の半断面側面図とキャップ本体の側面図。
【図１０】図１０は、本発明の容器口部の半断面側面図。
【図１１】図１１は、図１０の容器口部の平面図。
【符号の説明】
２：キャップ
４：キャップ本体
６：タンパーエビデント部材
８：天面壁
１０：スカート部
１２：雌螺条
１４：アウターリング
１６：突部
１８：インナーリング
２４：円筒部
２６：雄螺条
２８：ストッパー突条
２９：補助係止部
３０：容器口部
３２：係止顎部
３４：キー溝
３６：環状係合部
【図１】
0004388758.tif 000002
【図２】
0004388758.tif 000003
【図３】
0004388758.tif 000004
【図４】
0004388758.tif 000005
【図５】
0004388758.tif 000006
【図６】
0004388758.tif 000007
【図７】
0004388758.tif 000008
【図８】
0004388758.tif 000009
【図９】
0004388758.tif 000010
【図１０】
0004388758.tif 000011
【図１１】
0004388758.tif 000012